(57)【要約】【課題】重量の違いや作業者の体力差等にかかわらず、適度な操作力でスムーズに走行移動させることができる手動式移動ラックを提供する。【解決手段】本発明は、ラック本体１０ａと、ラック本体１０ａに回転自在に設けられたハンドル２０とを備え、ハンドル２０を回転操作することによって、ラック本体１０ａが前後方向に走行するようなされた手動式移動ラックを対象とする。ハンドル２０が、ラック本体１１ａに回転自在に設けられるボス２１と、ボス２１の外周に設けられた円環状のリム２２と、リム２２をボス２１に支持するためのアーム２３とを有する。ハンドル２０のアーム２３に、スライド板４０が径方向に沿ってスライド自在に設けられる。スライド板４０の一端側がハンドル２０の中心軸部材１５に径方向に沿ってスライド自在に連結されるとともに、スライド板４０の他端にハンドル回転操作用ノブ６０が設けられる。【選択図】      図４
2004267463.tif 000002
【特許請求の範囲】
【請求項１】
ラック本体と、そのラック本体に回転自在に設けられたハンドルとを備え、前記ハンドルを回転操作することによって、前記ラック本体が前後方向に走行するようなされた手動式移動ラックであって、
前記ハンドルが、前記ラック本体に回転自在に設けられたボスと、そのボスの外周に設けられたリムと、そのリムを前記ボスに支持するアームとを有し、
前記リムに設けられた把持部が、径方向に沿ってスライド自在に、かつそのスライド移動を規制可能に設けられてなることを特徴とする手動式移動ラック。
【請求項２】
前記ハンドルが、円環状のリムを有する丸ハンドルにより形成されてなる請求項１記載の手動式移動ラック。
【請求項３】
前記リムに、前記ハンドルの表面側に突出するようにノブが設けられ、
前記ノブが前記把持部として形成されてなる請求項１又は２記載の手動式移動ラック。
【請求項４】
前記ハンドルに、スライド板が径方向に沿ってスライド自在に設けられ、
前記スライド板の一端側が、前記ハンドルの中心軸部材に径方向に沿ってスライド自在に連結されるとともに、前記スライド板の他端に、前記把持部が設けられてなる請求項１ないし３のいずれかに記載の手動式移動ラック。
【請求項５】
前記スライド板の一端側に、長さ方向に延びる長孔が形成されるとともに、その長孔内に、前記ハンドルの中心軸部材が長さ方向に沿ってスライド自在に収容されてなる請求項４記載の手動式移動ラック。
【請求項６】
前記ハンドルのアームに、その表面側に間隔をおいてスライドガイド板が設けられ、
前記アーム及び前記スライドガイド板間に前記スライド板が挿入配置されて、前記アーム及び前記スライドガイドによって、前記スライド板のスライド移動がガイドされるよう構成されてなる請求項４又は５記載の手動式移動ラック。
【請求項７】
前記スライド板が前記ハンドルのアームに設けられ、
前記ハンドルに、前記スライド板を覆う態様に表面カバーが設けられてなる請求項４ないし６のいずれかに記載の手動式移動ラック。
【請求項８】
前記スライド板の他端側に、複数の係合孔が長さ方向に間隔をおいて設けられ、
前記ハンドルに、前記係合孔に対し係脱自在に係合片が設けられるとともに、
前記ハンドルに、前記係合片を前記係合孔に対し係合する方向（係合方向）へ付勢する付勢手段が設けられ、
前記ハンドルに、前記係合片を係合方向に対し逆方向（係合解除方向）へ操作するための係合解除操作部が設けられ、
前記係合解除操作部を介して、前記係合片を係合解除方向へ操作して前記係合孔から離脱させた状態では、前記スライド板のスライド移動が許容されるとともに、前記付勢手段の付勢力によって、前記係合片を係合方向に付勢させて前記係合孔に係合させた状態では、前記スライド板のスライド移動が規制されるよう構成されてなる請求項４ないし７のいずれかに記載の手動式移動ラック。
【請求項９】
一端側が前記係合片として構成され、他端側が前記係合解除操作部として構成された係合レバーの中間部が、前記ハンドルに回転自在に取り付けられ、
前記係合解除操作部を押操作することにより、前記係合レバーが前記係合片の前記係合孔に対する係合を解除する方向に回転されるよう構成されてなる請求項８記載の手動式移動ラック。
【請求項１０】
前記係合解除操作部が、前記ハンドルの裏面側に設けられてなる請求項８又は９記載の手動式移動ラック。
【請求項１１】
前記ハンドルのボスにおける中央表面側に、走行ロック用摘み部材が設けられ、その摘み部材を引出操作することによって、前記ラック本体の走行移動が規制されるとともに、前記摘み部材を押込操作することによって、前記ラック本体の走行移動が許容されるよう構成されてなる請求項１ないし１０記載の手動式移動ラック。
【発明の詳細な説明】
【０００１】
【発明の属する技術分野】
この発明は、ハンドル操作によって走行させるようにした手動式移動ラックに関する。
【０００２】
【従来の技術】
従来、並列に複数配置された移動ラックを適当に移動させて、所望の移動ラックに対し書物等の出し入れを行うようにした移動ラック装置が周知である。
【０００３】
このような移動ラック装置においては、ラックをモータ等の電動力によって走行させるようにした電動式のものと、ラックをハンドル操作等の手動力によって走行させるようにした手動式のものとがある。
【０００４】
手動式移動ラックにおいて、例えば下記特許文献１に示すように丸ハンドルを具備するものは、ハンドルを両手で回転操作することができるため、強い操作力を得ることができ、高重量大型のラックを走行操作する場合等において利点を有している。
【０００５】
【特許文献１】
実公平４−２７３９５号（第１図）
【０００６】
【発明が解決しようとする課題】
上記特許文献１に示す手動式の移動ラックは、収納物によってラック本体の重量が大きく異なるため、その重量変化によって走行時の操作力が大きく変化する。例えば物品がほとんど収納されていないような場合には、小さい操作力で簡単に走行させることができるのに対し、高重量の物品が多く収納されている場合には、ラックを走行させるのに大きい操作力が必要となる。
【０００７】
このように従来の手動式移動ラックは、重量の違いによって、操作力が変化するため、例えば物品が多く収納されて重量が大きくなった場合には、ハンドル操作が重くなり、走行操作が困難になるという問題を抱えている。
【０００８】
一方、ラックの重量が比較的軽い場合であっても、作業者の体力差によって、ラックの走行操作に多大な労力が要求されることもあり、この点においても、走行操作が困難になる場合があるという問題が発生する。
【０００９】
この発明は、上記従来技術の問題を解消し、重量の違いや作業者の体力差等にかかわらず、ラック本体を適度な操作力でスムーズに走行移動させることができる手動式移動ラックを提供することを目的とする。
【００１０】
【課題を解決するための手段】
上記目的を達成するため、この発明は、下記［１］の構成を要旨とする。
【００１１】
［１］  ラック本体と、そのラック本体に回転自在に設けられたハンドルとを備え、前記ハンドルを回転操作することによって、前記ラック本体が前後方向に走行するようなされた手動式移動ラックであって、前記ハンドルが、前記ラック本体に回転自在に設けられたボスと、そのボスの外周に設けられたリムと、そのリムを前記ボスに支持するアームとを有し、前記リムに設けられた把持部が、径方向に沿ってスライド自在に、かつそのスライド移動を規制可能に設けられてなることを特徴とする手動式移動ラック。
【００１２】
この構成においては、ラック重量や作業者個人の体力差等によって、ハンドルの回転操作が重くて困難な場合には、把持部を径方向外側に移動させて、その把持部を持ってハンドルを回転操作することにより、小さい操作力で大きな回転トルクを得ることができる。このように重量や各個人の体力差にかかわらず、適度な操作力で十分な回転トルクを得ることができ、ラック本体の走行操作をスムーズに行うことができる。
【００１３】
本発明においては、下記［２］〜［１０］の構成を採用するのが好ましい。
【００１４】
［２］  前記ハンドルが、円環状のリムを有する丸ハンドルにより形成されてなる前項［１］記載の手動式移動ラック。
【００１５】
この構成を採用する場合には、作業者の好みや状況等に応じて、丸ハンドルを持って行うハンドル操作と、把持部を持って行うハンドル操作とを適宜使い分けて行うことができる。
【００１６】
［３］  前記リムに、前記ハンドルの表面側に突出するようにノブが設けられ、前記ノブが前記把持部として形成されてなる前項［１］又は［２］記載の手動式移動ラック。
【００１７】
この構成を採用する場合には、握り易いノブを持ってハンドルを回転操作することができ、ハンドル操作性を一層向上させることができる。
【００１８】
［４］  前記ハンドルに、スライド板が径方向に沿ってスライド自在に設けられ、前記スライド板の一端側が、前記ハンドルの中心軸部材に径方向に沿ってスライド自在に連結されるとともに、前記スライド板の他端に、前記把持部が設けられてなる前項［１］ないし［３］のいずれかに記載の手動式移動ラック。
【００１９】
この構成を採用する場合には、把持部がスライド板を介して中心軸部材に連係するため、把持部を周方向に沿って安定状態で回転操作することができる。
【００２０】
［５］  前記スライド板の一端側に、長さ方向に延びる長孔が形成されるとともに、その長孔内に、前記ハンドルの中心軸部材が長さ方向に沿ってスライド自在に収容されてなる前［４］記載の手動式移動ラック。
【００２１】
この構成を採用する場合には、長孔の端部に中心軸部材が係合することにより、スライド板が外側に脱外するのを確実に防止することができる。
【００２２】
［６］  前記ハンドルのアームに、その表面側に間隔をおいてスライドガイド板が設けられ、前記アーム及び前記スライドガイド板間に前記スライド板が挿入配置されて、前記アーム及び前記スライドガイドによって、前記スライド板のスライド移動がガイドされるよう構成されてなる前項［４］又は［５］記載の手動式移動ラック。
【００２３】
この構成を採用する場合には、スライド板のスライド操作、つまりノブ等の把持部のスライド操作をスムーズに行うことができる。
【００２４】
［７］  前記スライド板が前記ハンドルのアームに設けられ、前記ハンドルに、前記スライド板を覆う態様に表面カバーが設けられてなる前項［４］ないし［６］のいずれかに記載の手動式移動ラック。
【００２５】
この構成を採用する場合には、ススライド機構等を隠蔽することができ、外観形状をシンプルに形成することができる。
【００２６】
［８］  前記スライド板の他端側に、複数の係合孔が長さ方向に間隔をおいて設けられ、前記ハンドルに、前記係合孔に対し係脱自在に係合片が設けられるとともに、前記ハンドルに、前記係合片を前記係合孔に対し係合する方向（係合方向）へ付勢する付勢手段が設けられ、前記ハンドルに、前記係合片を係合方向に対し逆方向（係合解除方向）へ操作するための係合解除操作部が設けられ、前記係合解除操作部を介して、前記係合片を係合解除方向へ操作して前記係合孔から離脱させた状態では、前記スライド板のスライド移動が許容されるとともに、前記付勢手段の付勢力によって、前記係合片を係合方向に付勢させて前記係合孔に係合させた状態では、前記スライド板のスライド移動が規制されるよう構成されてなる前項［４］ないし［７］のいずれかに記載の手動式移動ラック。
【００２７】
この構成を採用する場合には、スライド板のスライド許容及び規制を確実に行うことができ、高い動作信頼性を得ることができる上更に、スライド板の固定位置を多段階に調整できるため、作業者の好み等に合わせて、ノブ等の把持部の位置を適切な位置に設定することができる。
【００２８】
［９］  一端側が前記係合片として構成され、他端側が前記係合解除操作部として構成された係合レバーの中間部が、前記ハンドルに回転自在に取り付けられ、前記係合解除操作部を押操作することにより、前記係合レバーが前記係合片の前記係合孔に対する係合を解除する方向に回転されるよう構成されてなる前項［８］記載の手動式移動ラック。
【００２９】
この構成を採用する場合には、係合レバーにおける他端の操作部を押操作するだけで簡単に、スライド板のスライド規制を解除することができ、ノブ等の把持部のスライド位置調整操作を簡単かつスムーズに行うことができる。
【００３０】
［１０］  前記係合解除操作部が、前記ハンドルの裏面側に設けられてなる前項［８］又は［９］記載の手動式移動ラック。
【００３１】
この構成を採用する場合には、係合解除操作部がハンドル表面側に露呈することがなく、より一層意匠性を向上させることができる。
【００３２】
［１１］  前記ハンドルのボスにおける中央表面側に、走行ロック用摘み部材が設けられ、その摘み部材を引出操作することによって、前記ラック本体の走行移動が規制されるとともに、前記摘み部材を押込操作することによって、前記ラック本体の走行移動が許容されるよう構成されてなる前項［１］ないし［１０］記載の手動式移動ラック。
【００３３】
この構成を採用する場合には、ハンドル回転操作後の走行ロック操作や、走行ロック解除操作後のハンドル回転操作等、一連の操作を効率良くスムーズに行うことができる。
【００３４】
ところで、本発明の関連発明として、以下の構成を採用することができる。
【００３５】
本関連発明は、ラック本体と、そのラック本体に回転自在に設けられたハンドルとを備え、前記ハンドルを回転操作することによって、前記ラック本体が前後方向に走行するようなされた手動式移動ラックであって、前記ハンドルが、一端がラック本体に回転自在に設けられアームと、そのアームの他端に設けられた把持部とを有し、前記把持部が、径方向（アーム長さ方向）に沿ってスライド自在に、かつそのスライド移動を規制可能に設けられてなることを特徴とする手動式移動ラック。
【００３６】
この関連発明の手動式移動ラックにおいては、レバー（クランク）ハンドルタイプのものにも適用可能である。
【００３７】
更にこの関連発明においても、上記と同様に、前項［２］〜［１１］の構成を好適に採用することができる。
【００３８】
【発明の実施の形態】
図１はこの発明の実施形態である移動ラック（１０）が適用された移動ラック装置を示す斜視図である。同図に示すように、このラック装置は、床面上に一対のレール（１）が敷設されており、このレール（１）の一端に固定状態に取り付けられる固定ラック（５）と、レール（１）に沿って前後方向に並んで複数配置され、かつ前後方向に走行自在な移動ラック（１０）とを備えている。
【００３９】
各移動ラック（１０）は、ラック本体（１０ａ）と、ラック本体（１０ａ）の一側面に回転自在に設けられた丸ハンドル（２０）とを備えている。
【００４０】
図２に示すように、ラック本体（１０ａ）の底面には、複数の車輪（１１）が回転自在に設けられるとともに、底部の一側部には、車輪（１１）に対応してスプロケット（１２）が回転自在に設けられている。またラック本体（１０ａ）の高さ方向中間における一側部には、ハンドル（２０）の回転操作に伴って回転するスプロケット（１３）が回転自在に設けられており、両スプロケット（１２）（１３）間にチェーン（１４）が架け渡されている。そして、ハンドル（２０）を回転操作した際には、スプロケット（１２）（１３）及びチェーン（１４）が回転することにより、車輪（１１）が回転して、移動ラック（１０）がレール（１）に沿って走行するよう構成されている。
【００４１】
図３ないし図７に示すように、ハンドル（２０）は、ハンドル本体（３０）と、スライド板（４０）と、スライドガイド板（５０）と、ハンドル操作用ノブ（６０）と、表面カバー（７０）と、係合レバー（８０）と、走行ロック用摘み部材（９０）とを基本的な構成要素として備えている。
【００４２】
ハンドル本体（３０）は、中央部を構成するボス（２１）と、外周部を構成する円環状のリム（２２）と、ボス（２１）及びリム（２２）間に径方向に沿って配置され、かつリム（２２）をボス（２１）に支持するための２本のアーム（２３）とを一体に有する合成樹脂の一体成形品をもって構成されている。
【００４３】
ハンドル本体（３０）におけるボス（２１）の中央部には、中央孔（３１）が形成されている。更にハンドル本体（３０）の表面側には、ボス（２１）から中央孔（３１）及び一方のアーム（２３）を通ってリム（２２）にかけて、スライド板設置部（３２）が径方向に沿って形成されている。なお、スライド板設置部（３２）の外周端に対応する位置において、リム（２２）は切り欠かれるように形成されて、ノブ設置用切欠部（２２ａ）が形成されている。
【００４４】
スライド設置部（３２）の外周部は、裏面側に凹陥形成されて、平面視矩形状のレバー設置凹部（３２ａ）が形成されている。この凹部（３２ａ）の底部における外側寄りには、レバー操作用の開口（３２ｂ）が形成されている。
【００４５】
スライド板設置部（３２）上には、スライド板（４０）が径方向に沿ってスライド自在に載置されている。
【００４６】
このスライド板（４０）は、金属の成形板等により構成されており、一端側（中心側）には、長さ方向に延びる長孔（４１）が形成されるとともに、他端側（外周側）には、表面側に突出するようにして把持部としてのノブ（６０）が支持軸（６１）を介して回転自在に取り付けられている。更にスライド板（４０）には、レバー設置凹部（３２ａ）に対応して、矩形状の複数の係合孔（４２）が長さ方向に所定の間隔おきに形成されている。
【００４７】
またスライド板設置部（３２）には、略コ字型のスライドガイド板（５０）がそのコ字溝内にスライド板（４０）を収容するように配置され、その状態でスライドガイド板（５０）がハンドル本体（３０）にねじ止め固定される。そしてスライド板設置部（３２）及びスライドガイド板（５０）によって、スライド板（４０）の表裏面及び両側縁がそれぞれガイドされることにより、スライド板（４０）が径方向（長さ方向）に沿って安定した状態でスムーズにスライドされるよう構成されている。更にこのスライド移動に伴って、スライド板（４０）の外周端に設けられたノブ（６０）が径方向に沿って移動されるよう構成されている。
【００４８】
またスライドガイド板（５０）には、ハンドル中心部に対応して中央孔（５１）が形成されている。
【００４９】
ハンドル本体（３０）における上記レバー設置凹部（３２ａ）には、係合レバー（８０）が収容されており、そのレバー（８０）の中間部がレバー設置凹部（３２ａ）の内側面に回転軸（８１）を介して回転自在に取り付けられる。この係合レバー（８０）の一端側表面には、スライド板（４０）の係合孔（４２）に対応して、スライド板（４０）側に突出するように係合片（８２）が形成されており、係合レバー（８０）の揺動回転によって、係合片（８２）が係合孔（４２）に対し係脱するよう構成されている。更に係合レバー（８０）の他端側裏面には、裏面側に突出するように、係合解除操作部として係合解除ボタン（８３）が形成されている。この係合解除ボタン（８３）は、レバー設置凹部（３２ａ）における上記底壁開口（３２ｂ）と対応する位置に形成されており、係合レバー（８０）の揺動回転によって、係合解除ボタン（８３）が、底壁開口（３２ｂ）を介してハンドル裏面側に出没するよう構成されている。
【００５０】
更に係合レバー（８０）の回転軸（８１）には、付勢手段としての巻ばね（８５）が取り付けられており、この巻ばね（８５）の付勢力によって、係合レバー（８０）が図４の時計方向に付勢されており、通常状態においては、係合レバー（８０）の係合片（８２）がスライド板（４０）のいずれかの係合孔（４２）に係合して、スライド板（４０）のスライド動作が規制されるとともに、係合解除ボタン（８３）が開口（３２ｂ）を介して裏面側に突出する態様に配置される。またこの通常状態において、係合解除ボタン（８３）を裏面側から押操作すると、係合レバー（８０）が巻ばね（８５）の付勢力に抗して、図４の反時計方向に回転し、これにより係合片（８２）が係合孔（４２）から離脱して係合が解除されて、スライド板（４０）のスライド動作が許容されるよう構成されている。従って、このスライド許容状態において、ノブ（６０）をスライド板（４０）と共に径方向にスライドできるとともに、係合解除ボタン（８３）の押操作を解除した際には、所定のスライド位置において、係合片（８２）が巻ばね（８５）の付勢力によって、対応する係合孔（４２）に係合することにより、ノブ（６０）のスライド移動が規制されるよう構成されている。
【００５１】
図３ないし図５に示すように、ハンドル本体（３０）のボス（２１）及びアーム（２３）を表面側から覆うようにして、合成樹脂製の表面カバー（７０）が取り付けられている。この表面カバー（７０）の中央には、中央凹部（７５）が形成されるとともに、この中央凹部（７５）に、上記走行ロック用摘み部材（９０）が収容されている。なお中央凹部（７５）の底部には、中央孔（７１）が形成されている。
【００５２】
一方、図４に示すように、ラック本体（１０ａ）には、ハンドル（２０）の軸心に沿って、筒状ハンドル軸（１５ａ）と、その筒孔内に軸心に沿ってスライド自在に挿入されたロック操作軸（１５ｂ）とからなるハンドル中心軸部材（１５）が設けられている。
【００５３】
外側の筒状ハンドル軸（１５ａ）は、ラック本体（１０ａ）に軸受を介して軸心回りに回転自在に取り付けられており、この筒状ハンドル軸（１５ａ）のハンドル側が、ハンドル（２０）におけるボス（２１）の裏面側に固定部材（１６）を介して固定されるとともに、ラック本体側が、上記図２に示すスプロケット（１３）に連結されている。そしてハンドル（２０）を回転操作した際には、ハンドル軸（１５ａ）が回転して、スプロケット（１３）が回転することにより、上記したように移動ラック（１０）が走行するよう構成されている。
【００５４】
また内側のロック操作軸（１５ｂ）は、そのハンドル側がハンドル本体（３０）の中央孔（３１）、スライド板（４０）の長孔（４１）、スライドガイド板（５０）の中央孔（５１）及び表面カバー（７０）の中央孔（７１）に挿通配置されて、中央凹部（７５）内の上記走行ロック用摘み部材（９０）に連結固定されている。更にロック操作軸（１５ｂ）のラック本体側は、図示しない走行ロック機構に連結されており、走行ロック用摘み部材（９０）を所定量引き出して、ロック操作軸（１５ｂ）を外側に進出させた際には、上記走行ロック機構によって、移動ラック（１０）の走行移動が規制されるよう構成されている。更にこの走行ロック状態から、摘み部材（９０）を押し込んで、ロック操作軸（１５ｂ）を後退させた際には、上記走行ロック機構による走行規制が解除されて、移動ラック（１０）の走行移動が許容されるよう構成されている。
【００５５】
本実施形態の移動ラック装置は、以上の構成を備えており、ハンドル（２０）の回転操作によって、移動ラック（１０）を適当に移動させて、所望の移動ラック（１０）に対し書物等の物品の出し入れを行うことができ、高い収納効率を得ることができる。
【００５６】
一方、移動ラック（１０）を走行移動させるに際し、収納物が多くラック重量が大きくて、ハンドル（２０）の回転操作が重くて困難な場合には、ハンドル裏面側における係合解除ボタン（８３）を押し込む。これにより、既述したように、係合レバー（８０）の係合片（８２）がスライド板（４０）の係合孔（４２）から離脱して、スライド板（４０）、つまり回転操作用ノブ（６０）のスライド規制が解除される。従ってその状態でノブ（６０）及びスライド板（４０）を径方向外側にスライドさせて、係合解除ボタン（８３）の押し込みを解除すれば、係合レバー（８０）の係合片（８２）が、対応する係合孔（４２）に係合し、スライド板（４０）及びノブ（６０）のスライド移動が規制される。この状態においては、図８に示すようにノブ（６０）がハンドル（２０）のリム（２２）よりも外側に突出した状態に配置される。これにより、このノブ（６０）を手で持って、ハンドル（２０）を回転操作することにより、小さい操作力で、大きな回転トルクを得ることができ、移動ラック（１０）の重量が大きくとも、そのラック（１０）を簡単かつスムーズに走行させることができる。
【００５７】
更に本実施形態においては、スライド板（４０）に、長さ方向に沿って所定間隔おきに複数の係合孔（４２）を形成し、いずれかの係合孔（４２）に係合レバー（８０）の係合片（８２）を係合させることにより、スライド板（４０）のスライド移動を規制するようにしているため、スライド板（４０）の固定位置、つまりノブ（６０）の固定位置を多段階に調整することができる。従って作業者の好みに合わせて、適切な位置にノブ（６０）を設定することができ、ハンドル操作性を一層向上させることができ、ラック（１０）の走行操作をより一層快適に行うことができる。
【００５８】
また本実施形態においては、ハンドル（２０）の円環状リム（２２）とは別にノブ（６０）を設けるものであるため、リム（２２）を両手で持ってハンドル（２０）を回転操作することもでき、片手でノブ（６０）を持ってハンドル（２０）を回転操作することもでき、更には一方の手でノブ（６０）を持ち、他方の手でリム（２２）を持ってハンドル（２０）を回転操作することもできる。このように作業者の好みや状況に応じて、ハンドル（２０）の操作方法を適宜使い分けることができるため、ハンドル操作性を一層向上させることができ、ラック（１０）の走行操作をより一層スムーズに行うことができる。
【００５９】
また本実施形態においては、スライド板（４０）の内端側に長孔（４１）を形成して、この長孔（４１）内に、ハンドル（２０）の中心軸部材（１５）を挿通配置するものであるため、スライド板（４０）を外側にスライドさせる際に、誤って必要以上の強い力で引き出したとしても、長孔（４１）の端部に中心軸部材（１５）が係合することにより、スライド板（４０）が脱外するのを防止することができる。このようにスライド板（４０）の不用意な脱外を確実に防止することができるため、抜止め専用の部材を用いる必要がなく、その分、部品点数の削減及び構造の簡素化を図ることができ、コストも削減することができる。
【００６０】
更に本実施形態においては、ノブ（６０）が固定されるスライド板（４０）が中心軸部材（１５）に直接連係しているため、ノブ（６０）を周方向に沿って安定状態で回転操作することができ、優れた操作性を得ることができる。
【００６１】
また本実施形態においては、ハンドル本体（３０）の表面側に表面カバー（７０）を取り付けて、スライド板（４０）等のスライド機構を隠蔽するものであるため、外観形状をシンプルに形成することができ、意匠性の向上を図ることができる。
【００６２】
更に本実施形態においては、ノブ（６０）のスライド規制を解除するための係合解除ボタン（８３）等の係合解除操作部をハンドル（２０）の裏面側に配置しているため、係合解除操作部がハンドル表面側に露呈することがなく、より一層意匠性を向上させることができる。
【００６３】
更に本実施形態においては、押しボタン方式により、ノブ（６０）のスライド規制を簡単に解除することができ、ノブ位置調整時におけるノブ（６０）のスライド操作を簡単かつスムーズに行うことができる。
【００６４】
また本実施形態においては、ハンドル（２０）の中央表面側に、走行ロック用摘み部材（９０）を設け、その摘み部材（９０）を引出操作することによって、移動ラック（１０）の走行移動が規制されるとともに、摘み部材（９０）を押込操作することによって、移動ラック（１０）の走行移動が許容されるよう構成している。このため、ハンドル回転操作後における摘み部材（９０）による走行ロック操作を効率良くスムーズに行うことができるとともに、摘み部材（９０）による走行ロック解除操作後におけるハンドル回転操作を効率良くスムーズに行うことができる。
【００６５】
なお上記実施形態においては、ハンドル（２０）のリム（２２）が円環状に形成されたものを例に挙げて説明しているが、それだけに限られず、本発明は、リムが楕円形状や長円形状、多角形状等に形成されたものにも適用可能であり、更にはリムが周方向に断続的に形成されたものにも適用することができる。
【００６６】
更に上記実施形態においては、リム（２２）に設けられたノブ（６０）を径方向に沿ってスライドさせるように構成しているが、それだけに限られず、本発明は、例えばリムを複数のリム分割体により構成し、リム分割体をボスに支持するアームを伸縮自在に構成することにより、リム分割体、つまりリム自体が径方向にスライドできるようにしても良い。
【００６７】
【発明の効果】
以上のように、この発明の移動ラックによれば、回転操作用ハンドルのリムに設けられた把持部が、径方向に沿ってスライド自在に、かつ所定のスライド位置に固定可能に設けられるものであるため、ラック重量や個人体力差等によって、ハンドルの回転操作が重くて困難な場合には、把持部を径方向外側に移動させて、その把持部を持ってハンドルを回転操作することにより、小さい操作力で十分な回転トルクを得ることができるので、ラック本体の走行操作を簡単かつスムーズに行うことができるという効果がある。
【００６８】
本発明において、丸ハンドルタイプのものに適用する場合には、作業者の好みや状況に応じて、丸ハンドルによる操作と把持部によるハンドル操作とを適宜使い分けて行うことができ、ハンドル操作性を向上させることができ、ラック本体の走行操作をよりスムーズに行うことができるという利点がある。
【００６９】
更に本発明においては、把持部をノブにより構成する場合には、握り易いノブを持ってハンドルを回転操作することができ、ハンドル操作性を一層向上させることができ、ラック本体の走行操作を一層簡単に行うことができるという利点がある。
【００７０】
また本発明においては、ハンドルに設けたスライド板の一端側を中心軸部材に連結するとともに、他端に把持部を設ける場合には、把持部がスライド板を介して中心軸部材に連係するため、把持部を周方向に沿って安定状態で回転操作することができ、優れた操作性を得ることができるという利点がある。
【００７１】
更に本発明において、スライド板の一端側における長孔に、中心軸部材を収容する場合には、長孔の端部に中心軸部材が係合することにより、スライド板が外側に脱外するのを防止することができ、例えばスライド板抜止め用の部材を用いる必要がなく、その分、部品点数の削減及び構造の簡素化を図ることができ、コストも削減することができるという利点がある。
【００７２】
また本発明において、スライド板をガイドするためのスライドガイド板を設ける場合には、スライド板のスライド操作、つまりノブ等の把持部のスライド操作を簡単かつ確実に行うことができるという利点がある。
【００７３】
更に本発明において、ハンドルの表面側に、表面カバーを設ける場合には、ススライド機構等を隠蔽することができ、外観形状をシンプルに形成することができ、意匠性の向上を図ることができるという利点がある。
【００７４】
本発明において、前記スライド板に複数の係合孔を設けて、その係合孔に係合片を係合することにより、スライド板のスライド移動を規制する場合には、スライド板のスライド許容及び規制を確実に行うことができ、高い動作信頼性を得ることができる上、スライド板の固定位置を多段階に調整できるため、作業者の好み等に合わせて、ノブ等の把持部の位置を適切な位置に設定でき、ハンドル操作性をより一層向上させることができるという利点がある。
【００７５】
更に本発明において、係合レバーにおける一端の係合片をスライド板の係合孔に対し係脱させることにより、スライド板のスライド許容及び規制操作を行う場合には、係合レバーにおける他端の操作部を押操作するだけで簡単に、スライド板のスライド規制を解除することができ、ノブ等の把持部のスライド位置調整操作を簡単かつスムーズに行うことができるという利点がある。
【００７６】
更に本発明において、係合解除操作部を、ハンドルの裏面側に設ける場合には、係合解除操作部がハンドル表面側に露呈することがなく、より一層意匠性を向上させることができるという利点がある。
【００７７】
また本発明において、ハンドル中央に走行ロック用摘み部材を設ける場合には、ハンドル回転操作後の走行ロック操作や、走行ロック解除操作後のハンドル回転操作等、一連の操作をスムーズに行うことができるという利点がある。
【図面の簡単な説明】
【図１】この発明の実施形態である移動ラックが適用された移動ラック装置を示す斜視図である。
【図２】実施形態の移動ラックにおける側壁過半部の内部構造を概略的に示す側面図である。
【図３】実施形態の移動ラックに適用されたハンドルを分解して示す斜視図である。
【図４】実施形態のハンドルを示す側面断面図である。
【図５】実施形態のハンドルを分解して示す側面断面図である。
【図６】実施形態のハンドルをノブ収納状態で示す図であって、同図（ａ）は正面図、同図（ｂ）は側面図である。
【図７】実施形態のハンドルをノブ収納状態で示す裏面図である。
【図８】実施形態のハンドルをノブ引出状態で示す図であって、同図（ａ）は正面図、同図（ｂ）は側面図である。
【符号の説明】
１０…移動ラック
１０ａ…ラック本体
１５…中心軸部材
２０…ハンドル
２１…ボス
２２…リム
２３…アーム
４０…スライド板
４１…長孔
４２…係合孔
５０…スライドガイド板
６０…ノブ（把持部）
７０…表面カバー
８０…係合レバー
８２…係合片
８３…係合解除ボタン（係合解除操作部）
８５…巻ばね（付勢手段）
９０…走行ロック用摘み部材
【図１】
2004267463.tif 000003
【図２】
2004267463.tif 000004
【図３】
2004267463.tif 000005
【図４】
2004267463.tif 000006
【図５】
2004267463.tif 000007
【図６】
2004267463.tif 000008
【図７】
2004267463.tif 000009
【図８】
2004267463.tif 000010